(57)【要約】【課題】長さの異なる複数の床支持ボルトを用意する必要が無く、所望の位置で現場で容易に長さ調節のできる床支持ボルトおよび床支持装置の提供。【解決手段】床支持ボルトは、台座に連結される連結部を有し、連結部を除くほぼ全長に亘って第１ネジ部を有する第１支柱部と、支持部を除くほぼ全長に亘って、第１ネジ部にネジ係合する第１ネジ部とほぼ同じ長さの第２ネジ部を有し、第１支柱部と軸整列して入れ子式にネジ係合する第２支柱部とを備え、上床を下部床に対して３００ｍｍ〜１５００ｍｍの範囲で高さ調節可能に支持する。ネジ部には回転工具の挿入あるいは接着材の注入用の導き穴を設ける。【選択図】図１
2010070946.tif 000002
【特許請求の範囲】
【請求項１】
下端に下部床上に支持される台座に連結される連結部を有し、上記連結部を除くほぼ全長に亘って第１ネジ部を有する第１支柱部と、
上端に上床を支持する支持部を有し、上記支持部を除くほぼ全長に亘って、上記第１ネジ部にネジ係合する上記第１ネジ部とほぼ同じ長さの第２ネジ部を有し、上記第１支柱部と軸整列して入れ子式にネジ係合する第２支柱部とを備え、
上記上床を上記下部床に対して高さ調節可能に支持する床支持ボルト。
【請求項２】
上記上床を上記下部床に対して３００ｍｍ〜１５００ｍｍの範囲の高さで高さ調節可能に支持することを特徴とする請求項１に記載の床支持ボルト。
【請求項３】
上記第１支柱部あるいは上記第２支柱部と少なくともほぼ等しい全長を持ち、ほぼ全長に亘って設けられた中間ネジ部を持ち、上記第１支柱部および上記第２支柱部に対して軸整列して両者に入れ子式にネジ係合した中間支柱部を備えていることを特徴とする請求項１あるいは２に記載の床支持ボルト。
【請求項４】
上記中間支柱部の中間ネジ部が、雄ネジまたは雌ネジであることを特徴とする請求項３に記載の床支持ボルト。
【請求項５】
上記中間支柱部の中間ネジ部が、一部分が雄ネジで他の部分が雌ネジであることを特徴とする請求項３に記載の床支持ボルト。
【請求項６】
上記第１支柱部の上記第１ネジ部および上記第２支柱部の上記第２ネジ部の少なくともいずれか１つが、径方向に穿たれた導き穴を備えていることを特徴とする請求項１〜５のいずれか一項に記載の床支持ボルト。
【請求項７】
上記中間支柱部の上記中間ネジ部が、径方向に穿たれた導き穴を備えていることを特徴とする請求項３〜６のいずれか一項に記載の床支持ボルト。
【請求項８】
上記導き穴の少なくともいずれかが長穴であることを特徴とする請求項６あるいは７に記載の床支持ボルト。
【請求項９】
上記導き穴が、丸穴と長穴とを組み合わせて備えていることを特徴とする請求項６あるいは７に記載の床支持ボルト。
【請求項１０】
互いに隣接配置された床支持ボルトの上記第１支柱部、上記第２支柱部および上記中間支柱部の少なくともいずれかに締結され、上記床支持ボルトを互いに連結する連結金具を備えていることを特徴とする請求項１〜９のいずれか一項に記載の床支持ボルト。
【請求項１１】
台座と、上記台座から延びた床支持ボルトと、上記床支持ボルトに支持されて高さ調節可能に床を支持するパネル受けとを備えた床支持装置において、
上記床支持ボルトが請求項１〜１０のいずれか一項に記載の床支持ボルトであることを特徴とする床支持装置。
【請求項１２】
上記床支持ボルトが、互いにネジ係合された複数の上記中間支持部を持つことを特徴とする請求項１１に記載の床支持装置。
【発明の詳細な説明】
【技術分野】
【０００１】
この発明は床支持ボルトおよび床支持装置に関し、特に上床を支持するパネル受けを下部床に対して高さ調節可能に支持するための床支持ボルトおよびそれを用いた床支持装置に関するものである。
【背景技術】
【０００２】
住宅用高層建築では、１つの階層の高さが３０００ｍｍとされ、天井高さは２５００ｍｍとされ、設計によって天井裏の空間高さが２００〜３００ｍｍ、下部床からの床高さが１００〜３００ｍｍとされるのが一般的である。事務所用高層建築においては、一般には床高さはこれよりも高く、また戸建ての住宅用建築では床高さは３００ｍｍ〜１５００ｍｍ程度のものがある。またこれらの設計上の床高さの違いとは別に、スラブの厚さの場所によるばらつきなどの施工上の床高さの違いもある。このため、床支持装置は、床下空間の高さの設計上の相違および施工上の相違に対応するために、高さ調節機能が要求されている。
【０００３】
このような多様な床高さに対応するために、従来提案されている床支持装置は、構造床である下部床（スラブ）上に配置したネジ部材を持つ台座と、下端で台座のネジ部材に螺合して立設され、上端にネジ部分を持つ床支持ボルトと、この床支持ボルトの上端のネジ部分に螺合して高さ調節可能に支持された床パネル受けとを備えている。この床支持装置の床パネル受け上に床パネルを乗せて構造床から所定の距離だけ離して支持し、このように支持された床パネル上に床材を敷き詰めるものである（例えば特許文献１）。
【０００４】
【特許文献１】実開平５−００５９８４号公報（図１）
【発明の開示】
【発明が解決しようとする課題】
【０００５】
上に説明した従来提案されている床支持装置においては、床高さの設計上の相違に対しては床支持ボルト長さの選択により対応し、施工上の相違に対してはネジ係合調節による微調節で対応できるようにされ、実際には床支持ボルトの選択とネジによる微調節とを組み合わせて対応している。ネジ部長さは微調節のためのものであるので、長いものでも１００ｍｍ程度である。また、微調節後にネジ部を固定するために、床支持ボルトに中心孔を貫通させて設け、この中心孔の上端から接着材をネジ部に注入して下端で固着することもできていた。
【０００６】
このような床支持装置は、３００ｍｍ程度の床高さの建築物に用いるのには適していて大きな問題もない。しかしながら、３００ｍｍ以上の床高さの場合は、設計上の床高さに適合する長さの床支持ボルトをその都度特注で作って対応していたため、床支持装置が極めて高価であった。また、多様な寸法の床支持ボルトをあらかじめ製作して置く場合には、１００ｍｍ〜１５００ｍｍまでの範囲について対応する必要があるため、例えば５００ｍｍ〜１４００ｍｍ程度の長いものでは６０ｍｍ単位で長さを変えて用意する必要があるため、製造して管理しておかねばならない床支持ボルトの種類の数が例えば２４種類というような不都合な程に膨大な数になってしまい、合理的でない。
【０００７】
また、床支持ボルトを貫通する中心孔を利用する接着材の注入は、床支持ボルトの長さが３００ｍｍ以上にもなると、接着材が大量に必要になり、また大量の接着材を注入してもネジ部に十分に届かず、ネジ部を確実に固定することができない。
【０００８】
また、想定される床高さ寸法に対応して数種類の長さの床支持ボルトを用意しておいても、建築物あるいは施工の状況によっては予め用意して置いた床支持ボルトの長さが合わないことがある。床を支持するためには、短すぎる床支持ボルトは採用できないため、余裕を持った長さ（長過ぎる）の床支持ボルトを選択して、施工作業時に支持ボルトの長すぎる部分が邪魔にならぬようにこの部分を切断しなくてはならない。
【０００９】
従来の床支持ボルトを用いる場合には、この切断作業は必要な床支持ボルトの長さが分かっていれば、床支持構造の敷設作業に入る前に予め床支持ボルトを切断しておくか、床パネルを床支持装置上に敷設した後で、床パネルの上面から上方に突出した長すぎる部分を切断することにより行う。
【００１０】
この切断作業は、敷設作業前に行うにしても、敷設作業中に行うにしても、一つ一つをカッターで切断したり、当て金を当ててハンマーで打撃を加えて折る作業は数が多いこと、所望の位置で切断することが困難であること等の理由で、煩雑で、時間の掛かる作業である。またネジ部にねじ係合したパネル受けの構造によっては、ハンマーで打撃すると床支持ボルトがパネル受けの下面の位置で折れてしまうことがあり、作業に相当の注意と熟練が必要であった。
【００１１】
また、床支持ボルトの破断後は、高さ調節をするために、ドライバ等のねじ回し工具を係合させて床支持ボルトを回転させるための係合溝が無くなっているため、床パネル受けの高さ調節ができないという不都合もあった。
【００１２】
以上述べた様々な理由から、床支持ボルトの種類をできるだけ少なくでき、上床を下部床に対して３００ｍｍ〜１５００ｍｍの範囲内で確実に支持でき、しかも高さ調節が可能で施工も容易な床支持ボルトを開発することが望まれている。
【００１３】
従って、この発明の目的は、長さの異なる床支持ボルトを少数種類だけ用意して現場で容易に長さ調節をして所望の床高さに支持できる床支持ボルトおよびそのような床支持ボルトを用いた床支持装置を提供することである。
【課題を解決するための手段】
【００１４】
この発明の床支持ボルトは、下端に下部床上に支持される台座に連結される連結部を有し、上記連結部を除くほぼ全長に亘って第１ネジ部を有する第１支柱部と、上端に上床を支持するパネル受けを支持する支持部を有し、上記支持部を除くほぼ全長に亘って、上記第１ネジ部にネジ係合する上記第１ネジ部とほぼ同じ長さの第２ネジ部を有し、上記第１支柱部と軸整列して入れ子式にネジ係合する第２支柱部とを備え、上記上床を上記下部床に対して高さ調節可能に支持する床支持ボルトである。
【００１５】
また、この発明の床支持装置は、台座と、上記台座から延びた床支持ボルトと、上記床支持ボルトに支持されて高さ調節可能に床を支持するパネル受けとを備えた床支持装置において、上記第１支柱部と上記第２支柱部とが、互いにほぼ等しい全長を持ち、それぞれ他端から一端に向かってほぼ全長に亘って設けられたネジ部を持っている床支持ボルトであることを特徴とする床支持装置である。
【発明を実施するための最良の形態】
【００１６】
実施の形態１．
本発明の床支持装置１は、図１および図２に示すように、コンクリートスラブ等の下部床２上に配置されて、その上に上床３を乗せるための床パネル４を支持するためのものである。床支持装置１は、下部床２上に設置される台座５と、台座５に連結部６で連結されて台座５から上方に延びて上端に支持部７を持つ床支持ボルト８と、床支持ボルト８の支持部７で支持されて床パネル４を支持するパネル受け９とを備えている。
【００１７】
台座５は、図示の例では防振作用を持つゴム製の部材であって、ほぼ円錐台形あるいは釣り鐘型である。台座５の上部中央部には嵌合穴１０が設けてあって、床支持ボルト８の下端部である連結部６を受け入れて支持できるようにしてある。台座５と床支持ボルト８との結合は、図示のような連結部６に膨出部を設けて嵌合穴１０に圧入し、回転はできるが抜け出さないようなスナップ式構造によっているが、ねじ係合でも良い。
【００１８】
パネル受け９は図示の例では中央に丸い貫通孔１１を持つ正方形の板部材であって、床支持ボルト８の支持部７に嵌合して支持されている。支持部７とパネル受け９との間の支持構造はパネル受け９を床支持ボルト８の上端部に支持できるものであれば何でも良く、例えばパネル受け９の貫通孔１１に形成した雌ネジを支持部７の外周に切った雄ネジにネジ係合させるものであっても良い。
【００１９】
床支持ボルト８は、上述のように下端に下部床２上に支持される台座５に連結される連結部６を有する第１支柱部１２と、上端に上床３および床パネル４などの床材を支持するパネル受け９を支持する支持部７を有する第２支柱部１３とを備えている。第１支柱部１２は、一端である下端の連結部６を除いた残りの部分に、即ち他端である上端にまで、ほぼ全長に亘って雄ネジの第１ネジ部１４が設けられたロッド状の部材である。第１ネジ部１４には、その周面に軸方向に等しい間隔で複数個（図示の例では５個）の導き穴１５が設けられていて、導き穴１５に第１支柱部１２を回転させるための工具（図示してない）を径方向に挿入して回転できるようにしてある。支持部７は図示の例ではフランジ部と膨出部とを持っていて、ネジが形成されていないが、台座５の嵌合穴１０に雌ネジを設けてこの雌ネジにネジ係合する雄ネジとすることもできる。またこの雄ネジをネジ部１４の延長部分とすることもできる。
【００２０】
第２支柱部１３は、第１支柱部１２と全長がほぼ同じであって、そのほぼ全長に亘って雌ネジの第２ネジ部１６が設けられた中空管状の部材である。第２ネジ部１６は図示の例では一端である上端の支持部７に対応する部分を除いた残りの部分に、他端である下端にまで全長に亘って形成されているが、第２ネジ部１６を支持部７の内周部にまで設けることもできる。第２支柱部１３の管壁には軸方向に直線状に等間隔に並んで配置された丸穴である導き穴１７がほぼ全長に亘って形成されている。この導き穴１７も、第２支柱部１３を回転させるための工具（図示してない）を係合させて第２支柱部１３を回転できるようにするものである。工具を導き穴１７を貫通させて導き穴１５にも係合させれば、第１支柱部１２と共に第２支柱部１３を回転させことができる。
【００２１】
また、長さ調節後に、この導き穴１７から接着材を注入して、第１支柱部１２と第２支柱部１３との間を結合して回転してしまわぬようにすることもできる。接着材は、第１ネジ部１４と係合している第２ネジ部１６に設けられている導き穴１７のうち、第１支柱部１２の先端部（連結部６から遠い側の端部）に対応して重なる導き穴１７だけに、あるいは第２支柱部１３の先端部（支持部７から遠い側の端部）の導き穴１７だけに注入すれば十分である。この位置の導き穴１７だけに注入することは、全ての導き穴１７に注入する場合に比べて、接着材の節約および作業時間の短縮の観点から極めて有利である。勿論第１ネジ部１４と係合している第２ネジ部１６に設けられている導き穴１７の全てに注入することもでき、この場合でも床支持ボルトに貫通して設けられた中心孔に接着材を充填する場合に比較すれば遙かに有利である。
【００２２】
このように、床支持ボルト８は、上床３を下部床２から３００ｍｍ以上の床高さに支持するために、台座５に連結されて第１ネジ部１４を持つ第１支柱部１２と、この第１支柱部１２に対して軸整列して入れ子式に第２ネジ部１６でネジ係合した第２支柱部１３とを備えていて、パネル受け９を下部床２に対して高さ調節可能に支持するものである。また、第１支柱部１２と第２支柱部１３とは、互いにほぼ等しい全長を持ち、それぞれほぼ全長に亘って設けられた第１ネジ部１４および第２ネジ部１６を持っている。第１支柱部１２の第１ネジ部１４は、上端である他端から連結部６の側の下端である一端に向かって形成されており、第２支柱部１３の第２ネジ部１６は、下端である他端から支持部７の側の上端である一端に向かって形成されている。
【００２３】
この床支持ボルト８は、第１支柱部１２と第２支柱部１３とが、互いにほぼ等しい全長を持っているとともに、それぞれ連結部６あるいは支持部７を除くほぼ全長に亘って設けられた第１ネジ部１４および第２ネジ部１６を持っていて、第１ネジ部１４および第２ネジ部１６が互いに入れ子式にネジ係合しているので、床支持ボルト８の全長の最大調節範囲が、第１ネジ部１４あるいは第２ネジ部１６のほぼ全長に等しくなり、第１ネジ部１４および第２ネジ部１６の軸方向長さに応じた大きな調節範囲が得られる。
【００２４】
この発明の床支持ボルト８は、パネル受け９上の上床３を下部床２に対して例えば３００ｍｍ〜１５００ｍｍの範囲の高さに高さ調節可能に支持するためものであり、この床高さに対応するために、第１支柱部１２および第２支柱部１３が２２５ｍｍ〜８２５ｍｍの範囲の長さを持っている。
【００２５】
床支持ボルト８の長さは、台座５の高さ、台座５と床支持ボルト８との間の連結部６の高さ、パネル受け９および上床３の厚さを勘案して、上床３を下部床２に対して３００ｍｍ〜１５００ｍｍの範囲の高さで高さ調節可能に支持する長さである。上床３の高さが３００ｍｍよりも低い場合には、これまで用いられてきた床支持ボルトおよび床支持装置によって十分に対応でき、必ずしもこの発明の床支持ボルトを用いる必要が無く、例え用いたとしても発明の効果が小さい。上床３の高さが１５００ｍｍよりも高い場合には、第１に床高さをこのような高さにする必要が生ずる場合が極めて少なく、実用上の需要が小さく、このような床高さの場合にこの発明の床支持ボルトあるいは床支持装置を使用しなくとも、特注のボルトを使用することで対応でき、１５００ｍｍ以上の床高さにおいても発明の効果が小さい。
【００２６】
図１の床支持装置において、床高さ３００ｍｍに対応するためには床支持ボルト８の長さは、下端部の台座５の高さ、上端部の上床３の厚さ、床パネル４の厚と、連結部６および支持部７の嵌合高さ考慮して、約２５０ｍｍ必要であり、第１支柱部１２および第２支柱部１３の長さは、約５０ｍｍのネジ係合部分を考慮してそれぞれ約１５０ｍｍ〜２２５ｍｍ程度あればよい。第１支柱部１２および第２支柱部１３の長さが、それぞれ約１５０ｍｍである場合には、ネジ係合した床支持ボルト８の長さは約１７５ｍｍ〜約２５０ｍｍ（床高さにして約２２５ｍｍ〜約３００ｍｍ）の範囲の調節が可能である。第１支柱部１２および第２支柱部１３の長さが、それぞれ約２２５ｍｍである場合には、約２５０ｍｍ〜約４００ｍｍ（床高さにして約３００ｍｍ〜約４５０ｍｍ）の範囲の調節が可能である。
【００２７】
床高さ１５００ｍｍに対応するためには床支持ボルト８の長さは約１４５０ｍｍ必要であり、第１支柱部１２および第２支柱部１３の長さがそれぞれ少なくとも約７５０ｍｍ程度あればよい。この場合の調節範囲は、床高さにして約７７５ｍｍ〜約１５００ｍｍである。３００ｍｍと１５００ｍｍとの間の床高さに対応できる床支持ボルト８は、長さを上述の約２５０ｍｍから約１４５０ｍｍの間で、できるだけ少ない種類で範囲内を完全にカバーするように適宜選択して用意しておくと良い。
【００２８】
３００ｍｍの床高さに対応できる床支持装置の各部の寸法の一例を挙げれば、床高さ（下部床２から上床３の上面までの距離）が３００ｍｍであり、台座の高さが４０ｍｍ、上床３の厚さが１２ｍｍ、床パネル４の厚さが２０ｍｍ、パネル受け９の厚さが２０ｍｍの場合、台座５とパネル受け９との間の距離は２１８ｍｍである。床支持ボルト８は、下端の連結部６が台座５に一部嵌り込んでいて、上端の支持部７がパネル受け９に嵌められているので、その全長は２５３ｍｍであり、第１支柱部１２も第２支柱部１３も共に２００ｍｍの長さである。また連結部６および支持部７の長さ（軸方向寸法）は共に３０ｍｍであり、第１ネジ部１４および第２ネジ部１６の軸方向長さは共に１７０ｍｍである。また、第１ネジ部１４と第２ネジ部１６とのネジ係合部分（重なり部分）の軸方向長さは１４７ｍｍである。従って、床支持ボルト８は３３ｍｍ縮めることができ、ネジ係合部分として４０ｍｍ残した場合には１０７ｍｍだけ延長させることができ、床高さにして２６７ｍｍ〜４０７ｍｍの範囲の調節が可能である。
【００２９】
この発明の床支持ボルト８を用いれば、３００ｍｍ〜１５００ｍｍの床高さに対応するために、製造して管理しておかねばならない床支持ボルトの種類の数を４あるいは５種類程度に大幅に減らすことができ、極めて合理的である。
【００３０】
また、第１支柱部１２および第２支柱部１３には導き穴１５および１７が設けられている。従って、第１支柱部１２あるいは第２支柱部１３のそれぞれの長さが長くなり、組み立てられた床支持ボルト８の全長が長くなった場合にも、また第１支柱部１２、第２支柱部１３、台座５およびパネル受け９のそれぞれの間を固定する必要がある場合にも、これらの導き穴１５および１７の少なくともいずれかを利用して接着材を注入して接着することができるため、接着が少量の接着材で確実に実行できる。このため、従来長い支持ボルトに設けるこどが必要であった接着材用の中心貫通孔が不要となり、強度の観点からも有利である。
【００３１】
更に、第１支柱部１２と第２支柱部１３の間のネジ係合は、それぞれ連結部６あるいは支持部７を除いた第１支柱部１２あるいは第２支柱部１３のほぼ全長に亘って形成された軸方向に長い第１ネジ部１４と第２ネジ部１６との間で行われている。従って、ネジ係合によるジャッキネジ式の高さ調節が極めて広い範囲に亘って実行できる。また、第１支柱部１２および第２支柱部１３に設けられた導き穴１５および１７を、ネジの回転のための工具を係合させる工具係合穴として利用することができるので、床支持ボルトの高さ調節が床支持装置の側面から容易にできる。特に、高さ調節をした結果、例えば第２支柱部１６の頭部を切断する必要があった場合などにも、破断によってねじ回し等の回転工具を係合させる溝部が除去されてしまうことがなく、破断後の床パネル受けの高さ調節が可能となる。
【００３２】
実施の形態２．
図２に示す床支持ボルト１８は、第１支柱部１２と第２支柱部１３とが、互いにほぼ等しい全長を持ち、第１ネジ部１４および第２ネジ部１６が、それぞれ連結部６あるいは支持部７を持つ一端に向かって、先端である他端からほぼ全長に亘って設けられている。また、第１支柱部１２あるいは第２支柱部１３と少なくともほぼ等しい全長を持ち、ほぼ全長に亘って設けられた中間ネジ部１９を持ち、第１支柱部１２および第２支柱部１３に対して軸整列して両者に入れ子式にネジ係合した中間支柱部２０を備えている。中間支柱部２０の第１支柱部１２および第２支柱部１３に対する長さは、ほぼ同じであってもよいし、図２のように、約２倍であってもよい。また第１支柱部１２および第２支柱部１３のいずれか一方が他方に対して相対的に長くても良い。
【００３３】
また、連結部６を持つ第１支柱部１２は、図１に示すものと同様に第１ネジ部１４が雄ネジであるが、支持部７を持つ第２支柱部１３は、第２ネジ部１６も雄ネジである。支持部７を第２ネジ部１６から連続した雄ネジとして、パネル受け台９にこれにネジ係合する雌ネジを設けても良い。
【００３４】
中間支柱部２０は、全長に亘って直径が同じ管状の部材であり、中間ネジ部１９は内周面に形成された雌ネジであり、開いた両端から第１支柱部１２および第２支柱部１３がネジ込まれている。また、中間支柱部２０にも、中間支柱部２０を回転させるための工具を受け入れる導き穴２１が設けられている。これらの導き穴２１は、第１支柱部１２の導き穴１５および第２支柱部１３の導き穴１７とともに、床支持ボルト１８の全長を調整するためと接着とに用いられる。
【００３５】
実施の形態３．
図３に示す床支持ボルト２２においては、図１に示すものと同様の第１支柱部１２と第２支柱部１３との間に中間支柱部２３が設けられていて、この中間支柱部２３の中間ネジ部１９は一部分が雌ネジのネジ部２４で、他の部分が雄ネジのネジ部２５である。即ち、中間支柱部２３は、一端が開き他端が閉じ、内周面にネジ部２４を持つ管状部材２６と、管状部材２６の閉端部から同軸に外方に向かって延び、外周面にネジ部２５を持つ棒状部材２７とで構成されている。管状部材２６の雌ネジのネジ部２４は第１支柱部１２の雄ネジの第１ネジ部１４にネジ係合しており、棒状部材２７の雄ネジのネジ部２５は第２支柱部１３の雌ネジの第２ネジ部１６にネジ係合している。中間支柱部２３の管状部材２６には複数の導き穴２８が設けられており、棒状部材２７には複数の導き穴２９が設けられている。その他の構成は図１に示す床支持ボルト８と同様である。
【００３６】
実施の形態４．
図４に示す床支持ボルト３０においては、台座５に連結される連結部６を持つ第１支柱部１２が雌ネジである第１ネジ部１４を持つ管状部材であり、パネル受け４を支持する支持部７を持つ第２支柱部１３が雄ネジである第２ネジ部１６を持つ棒状部材である。第１支柱部１２に設けられた導き穴３１はほぼ全長に亘って軸方向に延びたである。長穴の導き穴３１は、第２支柱部１３の第２ネジ部１６に設けた丸穴である導き穴１７を幾つか繋げたような形状である。
【００３７】
導き穴３１の長さは、図示の例では第２支柱部１３の導き穴１７を５個分連結したのと同程度の長さである。しかしながら、第１支柱部１２に設けた導き穴の長さは任意であって、例えば丸穴を１つだけ設け、この丸穴から第２支柱部１３の導き穴１７の間隔と等しい間隔を空けて、残りの丸穴を全て連結した状態の長穴として、第１支柱部１２の導き穴を丸穴と長穴とを組み合わせて備えたものとすることもできる。また、このような長孔の導き穴３１は、図４に示すように第１支柱部１２に設けるだけでなく、図１の第２支柱部１３の管状部材、図２の中間支柱部２０の管状部材、図３の第２支柱部１３および中間支柱部２３の管状部材のような様々な形状の中空の管状部材にも設けることができる。その他の構成は図１に示す床支持ボルト８と同様である。
【００３８】
実施の形態５．
図５に示す床支持ボルト３２においては、第１支柱部１２は、図４に示す管状の第１支柱部１２と同様に、第１ネジ部１４と導き穴３１とが形成されたものであり、第２支柱部１３は、図３に示す管状の第２支柱部１３と同様に、第２ネジ部１６が形成されているが、丸穴の導き穴１７の代わりに長穴の導き穴３３が設けられたものである。このような管状の第１支柱部１２と第２支柱部１３との間には、全長に亘って外周に雄ネジである中間ネジ部３５が形成された棒状部材である中間支柱部３４が設けられ、互いにネジ係合されている。中間支柱部３４の雄ネジである中間ネジ部３５には丸穴である導き穴３６が形成されている。
【００３９】
実施の形態６．
図６に示す床支持ボルト３８においては、連結部６を持つ第１支柱部１２が内周に雌ネジの第１ネジ部１４を持つ管状部材であり、支持部７を持つ第２支柱部１３が外周に雄ネジの第２ネジ部１６を持つ棒状部材であって、中間支柱部２３の中間ネジ部３５は、棒状部材２７に形成されて第１支柱部１２の第１ネジ部１４の雌ネジに係合する雄ネジのネジ部２５と、管状部材２６に形成されて第２支柱部１３の第２ネジ部１６の雄ネジに係合する雌ネジのネジ部２４とを備えている。また第１支柱部１２、第２支柱部１３および中間支柱部２３に導き穴１５、１７、２８および２９が設けられている。この構造は、図３に示す床支持ボルト２３の上下を入れ換えたような構造である。
【００４０】
実施の形態７．
図７に示す床支持ボルト４０は、互いに隣接配置された床支持ボルト４０の第１支柱部１２、第２支柱部１３および中間支柱部３４の少なくともいずれかに締結され、床支持ボルト４０を互いに連結する連結金具４１を備えている。図７に示す例では、２本の床支持ボルト４０は、導き穴３１、３３、３６の形状および数が異なっている以外は図５に示す床支持ボルト３２と同様の構成であり、連結金具４１は、床支持ボルト４０の棒状部材である中間支柱部３４に連結されている。
【００４１】
連結金具４１は、両端が結合具に接続されたワイヤあるいはロッドなどの連結部材４２と、連結部材４２の両端に接続され、床支持ボルト４０に結合される結合部材４３とを備えている。結合部材４３は床支持ボルト４０の第１支柱部１２、第２支柱部１３および中間支柱部３４のいずれか１つあるいは全てに結合することができる。結合部材４３は、Ｃ字型の開端部でビスおよびナットなどの締結金具４４によって閉じて床支持ボルト４０に締結できるようにしてあり、図示の例では、棒状の中間支柱部３４のネジ部３５にネジ係合されたスリーブ状のアタッチメント４５に締結されている。アタッチメント４５にはＣ字型の結合部材４３を受け入れる環状溝４６と、回転用工具および接着材のための導き穴４７とが設けられている。
【００４２】
アタッチメント４５を用いれば、施工中の結合部材４３の高さ位置の調整と床支持ボルト４０の長さの調整とを互いに独立して行うことができるし、施工後に結合部材４３の締結位置が上下に移動してしまうことも防げる。また、ネジ部３５を結合部材４３の締付によって損傷させることも無い。このような連結金具４１を多数配置された床支持ボルト４０に対して用いることにより、床支持ボルト４０の振動を防ぐことができるが、連結金具４１は、図７に示すように２本の床支持ボルト４０が対をなすように連結すれば、十分な効果を発揮する。床支持ボルト４０の振動、移動あるいは挫屈をより完全に防ぐためには、１本の床支持ボルト４０に対してほぼ同じ高さで２本以上の連結金具４１を用いることができる。また必要があれば床支持ボルト４０の高さの異なる位置で連結金具４１を結合することもできる。
【００４３】
以上に説明した実施の形態はこの発明を実施する場合の例であるので、それぞれの特徴を適宜取捨選択することも様々に組み合わせることもできるし、変形変更することもできる。例えば、図３に示すような中間支柱部を複数段に重ねて連結して用いることもできる。また、必要な床高さに応じて種類の異なる床支持ボルトを組み合わせて用いることもできるし、それらを連結金具４１で互いに連結することもできる。連結金具４１にはネジ式の長さ調節機構を設け、あるいは連結部材４２が帯状の場合にはベルトのバックル状の金具によって長さ調節することもできる。またアタッチメント４５を中間支柱部３４に一体に設けることもできる。
【図面の簡単な説明】
【００４４】
【図１】本発明の実施形態１の床支持ボルトおよび床支持装置の使用状況を示す側面図である。
【図２】本発明の実施形態２の床支持ボルトの側面図である。
【図３】本発明の実施形態３の床支持ボルトの側面図である。
【図４】本発明の実施形態４の床支持ボルトの側面図である。
【図５】本発明の実施形態５の床支持ボルトの側面図である。
【図６】本発明の実施形態６の床支持ボルトの側面図である。
【図７】本発明の実施形態７の床支持ボルトの側面図である。
【符号の説明】
【００４５】
１  床支持装置、２  下部床、５  台座、６  連結部、１２  第１支柱部、３  上床、９  パネル受け、７  支持部、１３  第２支柱部、８、１８、２２、３０、３２、３８、４０  床支持ボルト、１４  第１ネジ部、１６  第２ネジ部、１９、３５  中間ネジ部、２４、２５、  ネジ部、２０、２３、３４  中間支柱部、１５、１７、２１、２８、２９、３１、３３  導き穴、４１  連結金具。
【図１】
2010070946.tif 000003
【図２】
2010070946.tif 000004
【図３】
2010070946.tif 000005
【図４】
2010070946.tif 000006
【図５】
2010070946.tif 000007
【図６】
2010070946.tif 000008
【図７】
2010070946.tif 000009